(57)【要約】 【課題】従来、韓国語の文字入力は使用するキー数を少なくするため、入力時に文字要素を組み合わせながら文字を入力しているが、キー数が少なる分キーの操作数が増えていた。【解決手段】文字の構成要素を子音と母音とパッチムに分類し、一個のキーで１回目の押下げで子音を選び、２回目の押下げで母音を選び、子音と母音の合成文字なら３回目にスペースキーを押下げることで文字が決定し、子音と母音とパッチムの合成文字なら３回目にパッチムを押下げることで自動的に文字が決定する２７個のキーとスペースキーにより３回の押下げで全ての文字が入力可能で、英字で２６個のキーを使用するのに対して１個のキーを追加した２７個のキーとスペースキーで全文字が入力可能になる。【選択図】  図１
2016105275.tif 000002
【特許請求の範囲】
【請求項１】
韓国語の全文字の構成を子音、母音、パッチムの３種類に分類し、子音と母音とパッチムの一つ一つを「部位」とし、該部位が文字として認識されるときは「１部文字」とし、子音と母音の部位により構成された文字を「２部文字」とし、子音と母音とパッチムにより構成された文字を「３部文字」として、パソコン用のハードキーボードや液晶等の画面上に表示されるソフトキーボードを「キーボード」とし、キーボードに使用されている釦又はキーを「キー」とし、該キーを押下げ、タップする操作を「タップ」とし、文字を入力する為に最初のタップ操作を待つ状態を「待機状態」とし、該待機状態からタップ後に次のキー操作を待つ状態を「操作待ち状態」とし、該操作待ち状態から操作により１文字の文字が入力され確定することを「入力確定」として、クウォーティ（ＱＷＥＲＴＹ）配列等のソフトとハードを含む２８個以上のキーを具備するキーボードで、任意に特定した１個の仮のキーを「スペース」キーとし、該スペースキー以外の２７個のキーに待機状態から、１９個の子音の入力情報を任意によりスペースキー以外の２７個のキーに振り分け１回目のタップで選択可能にし、２１個の母音の入力情報を任意によりスペースキー以外の２７個のキーに振り分け２回目のタップで選択可能にし、２７個のパッチムの入力情報を任意によりスペースキー以外の２７個のキーに振り分け３回目のタップで選択可能にすることで、１個のキーには１個からに３個の種類の違う部位が任意により振り分けられていて、待機状態から子音の部位が振り分けられたキーを１回目のタップで選択し、操作待ち状態から母音の部位が振り分けられたキーを２回目のタップで選択し、操作待ち状態からスペースキーを３回目のタップで選択すると子音と母音の部位により構成された２部文字が入力確定するが、操作待ち状態からパッチムの部位が振り分けられたキーを３回目のタップで選択すると子音と母音とパッチムの部位により構成された３部文字が入力確定し、待機状態になり、３回のタップ毎に１文字の文字が入力される入力方法だが、子音、母音、パッチムのタップによる選択順の設定を任意による変更も可能であり、タッチパネルや表示画面上に、任意による配置で子音の部位によるキーで構成されたキーボードが待機状態で設定され、該設定されたキーボードから希望するキーを１回目のタップとして選択すると、任意による配置で母音の部位によるキーで構成されたキーボードが設定され操作待ち状態になり、該操作待ち状態から設定されたキーボードから希望するキーを２回目のタップとして選択すると、任意による配置でパッチムの部位によるキーと任意に特定した１個の仮のスペースキーで構成されたキーボードが設定され操作待ち状態になり、該操作待ち状態から設定されたキーボードから希望するキーを３回目のタップとして選択するが、３回目のタップがスペースキーの場合、１回目と２回目のタップで選択した子音と母音により構成された２部文字が入力確定し、３回目のタップがパッチムのキーの場合、１回目と２回目と３回目のタップで選択した子音と母音とパッチムにより構成された３部文字が入力確定し、任意による配置で子音の部位によるキーで構成されたキーボードが再設定され、待機状態になり、３回のタップ毎に１文字の文字が入力される入力方法だが、子音、母音、パッチムのタップによる選択順の設定を任意による変更も可能で、ハードキーによる入力において上記記載のタップ毎に違う種類の部位により構成されたキーボードが表示されるが、該表示されるキーボードを文字入力の案内用の画像として転用し、該転用した画像を「案内図」とし、該案内図をカーソルの下又は、任意による位置に設定することを特徴とする子音、母音、パッチムを同じキーで３回毎の繰返し操作により入力する韓国語入力方法。
【発明の詳細な説明】
【技術分野】
【０００１】
本発明は、キーボードによる韓国語文字入力に関するものである。
【背景技術】
【０００２】
主に、パソコン等で使用するキーボードに、基礎となる子音（平音と檄音）を左側の１４個のキーに、母音（母音と一部の二重母音）を右側の１２個のキーに振り分け、さらにシフトキーにより一部のキーが濃音と二重母音とに変化するなどの２ボル式で文字入力して、２４通りの方法で子音と母音を足しながら２回からシフトキーを含む７回の押下げ操作で文字を構成しカーソルに表示しているが押下げて上げる一連の操作を押下げとする。
【発明の概要】
【発明が解決しようとする課題】
【０００３】
一般的にパソコン用キーボードでの文字入力には２回（３９９文字）からシフトキーを含む７回まで（１０，７７３文字）の押下げを必要とした。
【課題を解決するための手段】
【０００４】
韓国語の全文字の構成を子音、母音、パッチムの３種類に分類し、子音と母音とパッチムの一つ一つを「部位」とし、該部位が文字として認識されるときは「１部文字」とし、子音と母音の部位により構成された文字を「２部文字」とし、子音と母音とパッチムにより構成された文字を「３部文字」とした。
【０００５】
パソコン用のハードキーボードや液晶等の画面上に表示されるソフトキーボードを「キーボード」とし、キーボードに使用されている釦又はキーを「キー」とし、該キーを押下げ、タップする操作を「タップ」とし、文字を入力する為に最初のタップ操作を待つ状態を「待機状態」とし、該待機状態からタップ後に次のキー操作を待つ状態を「操作待ち状態」とし、該操作待ち状態から操作により１文字の文字が入力され確定することを「入力確定」とした。
【０００６】
クウォーティ（ＱＷＥＲＴＹ）配列等のソフトとハードを含む２８個以上のキーを具備するキーボードで、任意に特定した１個の仮のキーを「スペース」キーとし、該スペースキー以外の２７個のキーに待機状態から、１９個の子音の入力情報を任意によりスペースキー以外の２７個のキーに振り分け１回目のタップで選択可能にし、２１個の母音の入力情報を任意によりスペースキー以外の２７個のキーに振り分け２回目のタップで選択可能にし、２７個のパッチムの入力情報を任意によりスペースキー以外の２７個のキーに振り分け３回目のタップで選択可能にすることで、１個のキーには１個からに３個の種類の違う部位が任意により振り分けられていて、待機状態から子音の部位が振り分けられたキーを１回目のタップで選択し、操作待ち状態から母音の部位が振り分けられたキーを２回目のタップで選択し、操作待ち状態からスペースキーを３回目のタップで選択すると子音と母音の部位により構成された２部文字が入力確定するが、操作待ち状態からパッチムの部位が振り分けられたキーを３回目のタップで選択すると子音と母音とパッチムの部位により構成された３部文字が入力確定し、待機状態になり、３回のタップ毎に１文字の文字が入力される入力方法だが、子音、母音、パッチムのタップによる選択順の設定を任意による変更も可能である。
【０００７】
タッチパネルや表示画面上に、任意による配置で子音の部位によるキーで構成されたキーボードが待機状態で設定され、該設定されたキーボードから希望するキーを１回目のタップとして選択すると、任意による配置で母音の部位によるキーで構成されたキーボードが設定され操作待ち状態になり、該操作待ち状態から設定されたキーボードから希望するキーを２回目のタップとして選択すると、任意による配置でパッチムの部位によるキーと任意に特定した１個の仮のスペースキーで構成されたキーボードが設定され操作待ち状態になり、該操作待ち状態から設定されたキーボードから希望するキーを３回目のタップとして選択するが、３回目のタップがスペースキーの場合、１回目と２回目のタップで選択した子音と母音により構成された２部文字が入力確定し、３回目のタップがパッチムのキーの場合、１回目と２回目と３回目のタップで選択した子音と母音とパッチムにより構成された３部文字が入力確定し、任意による配置で子音の部位によるキーで構成されたキーボードが再設定され、待機状態になり、３回のタップ毎に１文字の文字が入力される入力方法だが、子音、母音、パッチムのタップによる選択順の設定を任意による変更も可能で、ハードキーによる入力において上記記載のタップ毎に違う種類の部位により構成されたキーボードが表示されるが、該表示されるキーボードを文字入力の案内用の画像として転用し、該転用した画像を「案内図」とし、該案内図をカーソルの下又は、任意による位置に設定する。
【発明の効果】
【０００８】
キーを３回押下げるだけで全ての文字が入力可能なので、従来からの文字入力に必要な押下げ回数を軽減できるので入力の速度が早くなる。
【図面の簡単な説明】
【０００９】
【図１】英字表記のキーボードに全部位が表記されたキーの正面図
【図２】図１を具備した英字表記のフルキーボードの正面図
【図３】子音、母音、パッチムの１部文字を表示した３桁の文字コード表図
【図４】全体のフローチャート図
【図５】１回目の押下げ用フローチャート図
【図６】２回目の押下げ用フローチャート図
【図７】３回目の押下げ用フローチャート図
【図８】図１とは違う部位の配置による全部位が表記されたキーの正面図
【図９】表示画面上に表示され、図１と同じ配列の子音部位を選択する案内となる案内図
【図１０】表示画面上に表示され、図１と同じ配列の母音部位を選択する案内となる案内図
【図１１】表示画面上に表示され、図１と同じ配列のパッチム部位を選択する案内となる案内図
【図１２】表示画面の１部抜粋による文書の初から文字の入力過程を示す展開図
【図１３】表示画面の１部抜粋による文書の途中から文字の入力過程を示す展開図
【発明を実施するための形態】
【実施例】
【００１０】
子音と母音とパッチムを以下のように分類する。
子音が「表１、表２」の１９個
母音が「表３、表４」の２１個
パッチムが「表１、表５、表６」の２７個
【表１】
2016105275.tif 000003
【表２】
2016105275.tif 000004
【表３】
2016105275.tif 000005
【表４】
2016105275.tif 000006
【表５】
2016105275.tif 000007
【表６】
2016105275.tif 000008
【００１１】
子音１９個の部位と母音２１個の部位で３９９個の２部文字を構成し、子音１９個の部位と母音２１個の部位とパッチム２７個の部位で１０，７７３個の３部文字を構成し小計で１１，１７２の文字と子音、母音、パッチム部位による１部文字が６７個追加され、全文字１１，２３９個の文字が選択（入力）できる。
【００１２】
図１に示すようにＱＷＥＲＴＹキーボードの中段のキー表面の上部右側に子音の「表７」の部位と、上段のキー表面の上部右側に「表８」の部位を表記し、中段のキー表面の下部左側に母音の「表９」の部位と上段のキー表面の下部左側に「表１０」の部位を表記し、下段の英字「Ｎ」表記のキー表面の下部左側に「表１１」の部位を表記し、上段のキー表面の下部右側に図で示す位置にパッチムの「表１２」の部位と下段のキー表面の下部右側に「表１３」の部位を表記し、パッチムとしての「表７、表１４」の部位は子音と共用する。
【表７】
2016105275.tif 000009
【表８】
2016105275.tif 000010
【表９】
2016105275.tif 000011
【表１０】
2016105275.tif 000012
【表１１】
2016105275.tif 000013
【表１２】
2016105275.tif 000014
【表１３】
2016105275.tif 000015
【表１４】
2016105275.tif 000016
【００１３】
図２は図１のキーを具備したＱＷＥＲＴＹフルキーボードで本発明による文字の入力方法を以下に示すが２部文字と３部文字の入力は３回のキーの押下げで決定する。
【００１４】
パッチムの無い文字の入力方法を示す
イ）    １回目は、入力しようとする文字の子音がキー表面の上部右側に表記されているキーを押下げ
ロ）    ２回目は、入力しようとする文字の母音がキー表面の下部左側に表記されているキーを押下げ
ハ）    ３回目は、スペースキーを押下げる
ニ）    １回目と２回目の押下げで選択された部位により構成された文字がカーソルに転記されることでカーソルが右に移動して、入力を待つ待機状態に戻る
以上、１回目の子音、２回目の母音、３回目のスペースキーで文字を入力して待機状態になる、の繰り返しで文字が入力できる。
【００１５】
パッチムの有る文字の入力方法を示す
イ）    １回目は、入力しようとする文字の子音がキー表面の上部右側に表記されているキーを押下げ
ロ）    ２回目は、入力しようとする文字の母音がキー表面の下部左側に表記されているキーを押下げ
ハ）    ３回目は、入力しようとする文字のパッチムがキー表面の下部右側を優先して上下右側に表記されているキーから入力しようとするパッチムのキーを押下げる
ニ）    １回目と２回目と３回目の押下げで選択された部位により構成された文字が自動的にカーソルに転記されることでカーソルが右に移動して、入力を待つ待機状態に戻る
以上、１回目の子音、２回目の母音、３回目のパッチムで文字を入力して待機状態になる、の繰り返しで文字が入力できる。
【００１６】
以上、パッチムの無い場合と有る場合で説明したが、３回目にスペースキーの押下げで１回目と２回目で選択された子音と母音部位で文字を構成し、カーソルに転記することでパッチム無しの文字を入力し、その他は自動的に子音、母音、パッチムと３回の押下げで文字を構成し、カーソルに転記することでパッチムの有る文字を入力する。
【００１７】
１回目の子音部位の押下げの後に、シフトキーを押下げると１回目の押下げにより選択した子音部位による１部文字を選択したと判断しカーソルに転記されることでカーソルが右に移動して、入力を待つ待機状態に戻るので、子音部位による１部文字の入力ができる事により記号などの選択に用いることも可能である。
【００１８】
２回目の母音部位の押下げの後に、シフトキーを押下げると１回目の押下げによる子音部位を無視して２回目に選択した母音部位だけによる１部文字を選択したと判断しカーソルに転記されることでカーソルが右に移動して、入力を待つ待機状態に戻るので、母音部位による１部文字の入力ができる。
【００１９】
待機状態から１回目にシフトキーを押下げると、前に入力した文字のパッチム部位による１部文字を選択したと判断しカーソル右の文字と交換され、入力を待つ待機状態に戻るので、パッチム部位による１部文字の入力ができるが前に入力した文字又は、文字にパッチムが無い場合は入力できない。
【００２０】
図３は子音、母音、パッチム部位を１部文字として呼び出す３桁のコード表であるが、表の左側に表示されているのがコードの最初の２桁で上段に表示されているのが末尾に来るコードの数値になるが、コードの数値は任意により設定可能だが、アラビア数字とＱＷＥＲＴＹキーボードに表示されている英字をそのままコードの数値として使用し、「Ｌ」キーの右側のキーは記号の「♯」をコードの数値とした。
【００２１】
図３での「２２Ｇ」のコードが「表１５」の子音で、「３３Ｅ」のコードが「表１６」の母音で、「４４Ｐ」のコードが「表１７」のパッチムで各々が１部文字となり「３３Ｚ」は空白で存在しない。
【表１５】
2016105275.tif 000017
【表１６】
2016105275.tif 000018
【表１７】
2016105275.tif 000019
【００２２】
左端列が初めの２桁の昇順での数値で上段が末尾で英字順での数値で配置された３桁の文字コード一覧の表を示す。
【表１８】
2016105275.tif 000020
【表１９】
2016105275.tif 000021
【表２０】
2016105275.tif 000022
【表２１】
2016105275.tif 000023
【表２２】
2016105275.tif 000024
【表２３】
2016105275.tif 000025
【表２４】
2016105275.tif 000026
【表２５】
2016105275.tif 000027
【表２６】
2016105275.tif 000028
【表２７】
2016105275.tif 000029
【００２３】
文字の入力方法として、キー信号のデータを記憶する３個のメモリーが具備されていて、各自記憶の有無が識別可能で、待機状態（開始）から１回目に押下げられる子音表記の有るキー信号を子音キー信号とし、該子音キー信号を確認した次に全メモリーのデータをリセットし、「Ｍ１」の名称のメモリーに１回目入力のデータを保存、「Ｍ２」の名称のメモリーに２回目に押下げられる母音表記の有るキー信号を母音キー信号とし、該母音キー信号のデータを保存、「Ｍ３」の名称のメモリーに３回目に押下げられるパッチム表記の有るキー信号をパッチムキー信号とし、該パッチムキー信号のデータを保存と、各キー信号のデータを保存する。
【００２４】
図４はキー入力の全体を表したフローチャート図で、以降１回目と２回目と３回目とキーの押下げを待つ状態にフローチャートを分割して説明すると、図５のフローチャートは待機状態（開始）からキー入力の信号がシフトキーなら（Ｓ１１１）、Ｍ３のデータの有無を確認し、無ければ（Ｓ１１２）待機状態（開始）に戻るが、データが有れば（Ｓ１１３）、コード数値としての最初の２桁の「４４」と末尾にＭ３の文字データを合わせた３桁によるコードの文字を呼び出し（Ｓ１１４）、該文字をカーソル左にある文字と交換表記し（Ｓ１１５）待機状態（開始）に戻る。
【００２５】
図５のフローチャートは待機状態（開始）からキー入力の信号がシフトキーでは無く（Ｓ１２１）、子音キー信号でも無い場合（Ｓ１２２）は待機状態（開始）に戻るが、子音キー信号の場合は（Ｓ１２３）、各メモリーをリセットした（Ｓ１２４）後に、Ｍ１にデータを保存し（Ｓ１２５）、コード数値としての最初の２桁の「２２」と末尾にＭ１のデータを合わせた３桁によるコードの文字を呼び出し（Ｓ１２６）、該文字をカーソル上に表記し（Ｓ１２７）、２回目のキー入力の信号を待つ（Ｓ１２８）。
【００２６】
図６のフローチャートは２回目のキー入力を待つ（Ｓ１２８）から、キー入力の信号がシフトキーなら（Ｓ２１１）、コード数値としての最初の２桁の「２２」と末尾にＭ１のデータを合わせた３桁によるコードの文字を呼び出し（Ｓ２１２）、該文字を確定文字としてカーソルに交換表記し（Ｓ２１３）待機状態（開始）に戻る。
【００２７】
図６のフローチャートは２回目のキー入力を待つ（Ｓ１２８）から、キー入力の信号がシフトキーでは無く（Ｓ２２１）、母音キー信号でも無い場合（Ｓ２２２）は、２回目のキー入力の信号を待つ（Ｓ１２８）に戻るが、母音キー信号の場合は（Ｓ２２３）、Ｍ２にキー信号のデータを保存し（Ｓ２２４）、コード数値としての最初の１桁の「３」と２桁目としてＭ１のデータと末尾としてＭ２のデータを合わせた３桁によるコードの文字を呼び出し（Ｓ２２５）、該文字をカーソル上に表示されている文字と交換表記し（Ｓ２２６）、３回目のキー入力の信号を待つ（Ｓ２２７）。
【００２８】
図７のフローチャートは３回目のキー入力を待つ（Ｓ２２７）から、キー入力の信号がスペースキーなら（Ｓ３１１）順次、コード数値としての最初の１桁の「５」と２桁目としてＭ１のデータと末尾としてＭ２のデータを合わせた３桁によるコードの文字を呼び出し（Ｓ３１２）、該文字を確定文字としてカーソルに交換表記し（Ｓ３１３）待機状態（開始）に戻る。
【００２９】
図７のフローチャートは３回目のキー入力を待つ（Ｓ２２７）から、キー入力の信号がスペースキーでは無く（Ｓ３２１）、シフトキーなら（Ｓ３２２）順次、コード数値としての最初の２桁の「３３」と末尾としてＭ２のデータを合わせた３桁によるコードの文字を呼び出し（Ｓ３２３）、該文字を確定文字としてカーソルに交換表記し（Ｓ３２４）待機状態（開始）に戻る。
【００３０】
図７のフローチャートは３回目のキー入力を待つ（Ｓ２２７）から、キー入力の信号がスペースキーでは無く（Ｓ３２１）、シフトキーでも無く（Ｓ３３１）、パッチムキー信号でも無い場合（Ｓ３３２）は３回目のキー入力の信号を待つ（Ｓ２２７）に戻るが、パッチムキー信号の場合は（Ｓ３３３）、Ｍ３にキー信号のデータを保存し（Ｓ３３４）、最初の１桁目としてＭ１のデータ、２桁目としてＭ２のデータ、末尾としてＭ３のデータを合わせた３桁によるコードの文字を呼び出し（Ｓ３３５）、該文字を確定文字としてカーソルに交換表記し（Ｓ３３６）待機状態（開始）に戻る。
【００３１】
図２のキーボードで英字キーと仮の「♯」キーとスペースキーでの入力過程を示す。
待機状態から「Ｇ」キーの押し下げで（Ｇ）のコード数値、「Ｋ」キーの押し下げで（ＧＫ）のコード数値、スペースキーの押し下げで（５ＧＫ）のコードの「表２８」の文字が決定で待機状態に戻る、「Ｋ」キーの押し下げで（Ｋ）のコード数値、「Ｅ」キーの押し下げで（ＫＥ）のコード数値、「Ｆ」キーの押し下げで（ＫＥＦ）のコードの「表２９」の文字が決定で待機状態に戻る、「Ｋ」キーの押し下げで（Ｋ）のコード数値、「Ｌ」キーの押し下げで（ＫＬ）のコード数値、スペースキーの押し下げで（５ＫＬ）のコードの「表３０」の文字が決定で待機状態に戻る。
【表２８】
2016105275.tif 000030
【表２９】
2016105275.tif 000031
【表３０】
2016105275.tif 000032
【００３２】
図８はスマートフォン等の使用で、見た目に覚えやすいように文字が配置された図１の配列に対して、使用頻度の高いと予測される部位を、入力しやすい位置に配置した図である。
【００３３】
図９は１回目のキーの押下げを待つ待機状態で表示される図で、子音部位が図１と同じ配置で表示されていて、表示画面から消えないようカーソルの下に位置するように表示される案内図で、該案内図によりキーの押下げる部位を確認しながら入力出来る。
【００３４】
図１０は２回目のキーの押下げを待つ状態で表示される図で、母音部位が図１と同じ配置で表示されていて、表示画面から消えないようカーソルの下に位置するように表示される案内図で、該案内図によりキーの押下げる部位を確認しながら入力出来る。
【００３５】
図１１は３回目のキーの押下げを待つ状態で表示される図で、パッチム部位が図１と同じ配置で表示されていて、表示画面から消えないようカーソルの下に位置するように表示される案内図で、該案内図によりキーの押下げる部位を確認しながら入力出来るが、図９、図１０、図１１にホームポジションのキーに案内として黒枠の表示がしてある。
【００３６】
図１２は表示画面の１部を抜粋した図で文書の始めから入力しようとする展開図である
イ）    １段目は図９が表示されていて、子音部位の入力を待つ状態である
ロ）    ２段目は図１０が表示されていて、母音部位の入力を待つ状態で、１段目で選択した部位により構成された１部文字がカーソルに表示されている
ハ）    ３段目は図１1が表示されていて、パッチム部位の入力を待つ状態で、１段目と２段目で選択した部位により構成された２部文字がカーソルに表示されている
ニ）    ４段目は図９が表示されていて、子音部位の入力を待つ状態で、１段目と２段目と３段目で選択した部位により構成された３部文字が確定しカーソルが移動し、子音部位の入力を待つ状態である
【００３７】
図１３は表示画面の１部を抜粋した図で、文書の途中から文字を入力しようとする展開図で、案内図がカーソルの移動に伴い真下に表示されている
イ）    １段目は図９が表示されていて、子音部位の入力を待つ状態である
ロ）    ２段目は図１０が表示されていて、母音部位の入力を待つ状態で、１段目で選択した部位により構成された１部文字がカーソルに表示されている
ハ）    ３段目は図９が表示されていて、子音部位の入力を待つ状態で、２段目で母音部位の選択の後にスペースキーの押下げにより、１段目と２段目で選択した部位により構成された２部文字が確定してカーソルが移動し、子音部位の入力を待つ状態である
ニ）    ４段目は図１０が表示されていて、母音部位の入力を待つ状態で、３段目で選択した部位により構成された１部文字がカーソルに表示されている
【００３８】
子音、母音、パッチム部位を１部文字として選択する別の方法として、図１のキーの押下げの次にシフトキーを押下げる毎に、該図１のキーに表記されている子音と母音とパッチムの順に部位がカーソルに表示され、希望する部位が表示されたときにスペースキーの押下げで、希望する部位の１部文字が決定し待機状態に戻る。
【００３９】
案内表示に関して、キー上に表記されている文字や部位以外に、表示画面（モニタ）からはみ出さないようにカーソルの下に文字や部位のキー配列等を示した案内表示又は、表示画面（モニタ）内の任意の位置に案内表示を示すことでより入力しやすくなる。
【００４０】
子音、母音、パッチムの順に選択しなくても文字入力は可能で上記のシフトキー、スペースキー以外のキーでも、該機能の実施は可能である。
【００４１】
本発明はスマートフォンのようなタッチパネルから入力するソフトキーとして図９と図１０と図１１が順次表示される表示キーを選択することで３部文字が選択でき、図９と図１０が順次表示される表示キーを選択とスペースキーの押下げによる２部文字が選択できるのでタッチパネル製品にも利用可能である。
【図１】
2016105275.tif 000033
【図３】
2016105275.tif 000034
【図４】
2016105275.tif 000035
【図５】
2016105275.tif 000036
【図６】
2016105275.tif 000037
【図７】
2016105275.tif 000038
【図９】
2016105275.tif 000039
【図１０】
2016105275.tif 000040
【図１１】
2016105275.tif 000041
【図１２】
2016105275.tif 000042
【図１３】
2016105275.tif 000043
【図２】
2016105275.tif 000044
【図８】
2016105275.tif 000045